(57)【要約】【課題】電子文書の閲覧作業を効率的に、且つ楽に行うことが可能な画像表示装置、画像表示方法、及び画像表示プログラムを提供する。【解決手段】文書データ及び文書画像データ、またはそのいずれかを入力する入力手段と、文書データまたは文書画像データに基づき、少なくとも文書の形状、配列、表記方向を判別する判別手段と、判別手段の判別結果に基づき、文書の表示サイズを拡大した後、再配列して表示画像データを生成する表示画像データ生成手段と、表示画像データに基づき、画像を表示する画像表示手段と、を有し、判別手段が、文書の配列が複数段の段組状態であると判別した場合、表示画像データ生成手段は、文書の表示方向を９０°回転するとともに文書の表示サイズを拡大した後、再配列して表示画像データを生成する。【選択図】図３
2009053218.tif 000002
【特許請求の範囲】
【請求項１】
文書データ及び文書画像データ、またはそのいずれかを入力する入力手段と、
前記文書データまたは前記文書画像データに基づき、少なくとも文書の形状、配列、表記方向を判別する判別手段と、
前記判別手段の判別結果に基づき、前記文書の表示サイズを拡大した後、再配列して表示画像データを生成する表示画像データ生成手段と、
前記表示画像データに基づき、画像を表示する画像表示手段と、を有し、
前記判別手段が、前記文書の配列が複数段の段組状態であると判別した場合、
前記表示画像データ生成手段は、前記文書の表示方向を９０°回転するとともに前記文書の表示サイズを拡大した後、再配列して表示画像データを生成することを特徴とする画像表示装置。
【請求項２】
前記判別手段が、前記文書の形状が縦長及び表記方向が横書き、並びに配列が複数段の段組状態であると判別した場合、
前記表示画像データ生成手段は、９０°回転した表示画面を縦に段組数、または段組数以下の数の領域に分割し、
分割したそれぞれの領域の横幅に段組されたそれぞれの文書の横幅を合わせるように該文書の表示サイズを拡大するとともに、
分割された左端の領域を起点として隣接する領域へと順に文章が連続するように再配列して表示画像データを生成することを特徴とする請求項１に記載の画像表示装置。
【請求項３】
前記判別手段が、前記文書の形状が縦長及び表記方向が縦書き、並びに配列が複数段の段組状態であると判別した場合、
前記表示画像データ生成手段は、９０°回転した表示画面を横に下記式を満たす数Ｎ、または数Ｎ以下の領域に分割し、
分割したそれぞれの領域の縦幅に段組されたそれぞれの文書の縦幅を合わせるように該文書の表示サイズを拡大するとともに、
分割された上端の領域を起点として隣接する領域へと順に文章が連続するように再配列して表示画像データを生成することを特徴とする請求項１に記載の画像表示装置。
式：Ｎ＝Ｎ0／２
ここで、Ｎ0は段組数、また、Ｎは小数点以下切り捨て、とする。
【請求項４】
前記判別手段が、前記文書の形状が横長及び表記方向が横書き、並びに配列が複数段の段組状態であると判別した場合、
前記表示画像データ生成手段は、９０°回転した表示画面を縦に下記式を満たす数Ｎ、または数Ｎ以下の領域に分割し、
分割したそれぞれの領域の横幅に段組されたそれぞれの文書の横幅を合わせるように該文書の表示サイズを拡大するとともに、
分割された左端の領域を起点として隣接する領域へと順に文章が連続するように再配列して表示画像データを生成することを特徴とする請求項１に記載の画像表示装置。
式：Ｎ＝Ｎ0／２
ここで、Ｎ0は段組数、また、Ｎは小数点以下切り捨て、とする。
【請求項５】
前記判別手段が、前記文書の形状が横長及び表記方向が縦書き、並びに配列が複数段の段組状態であると判別した場合、
前記表示画像データ生成手段は、９０°回転した表示画面を横に段組数、または段組数以下の数の領域に分割し、
分割したそれぞれの領域の縦幅に段組されたそれぞれの文書の縦幅を合わせるように該文書の表示サイズを拡大するとともに、
分割された上端の領域を起点として隣接する領域へと順に文章が連続するように再配列して表示画像データを生成することを特徴とする請求項１に記載の画像表示装置。
【請求項６】
前記表示画像データ生成手段によって再配列された前記表示画像データは、縦方向に連続する複数の頁から構成され、
前記表示画像データ生成手段は、上端の頁を起点として隣接する頁へと順に文章が連続するように再配列して表示画像データを生成することを特徴とする請求項１または２または４のいずれか１項に記載の画像表示装置。
【請求項７】
前記表示画像データ生成手段によって再配列された前記表示画像データは、横方向に連続する複数の頁から構成され、
前記表示画像データ生成手段は、右端の頁を起点として隣接する頁へと順に文章が連続するように再配列して表示画像データを生成することを特徴とする請求項１または３または５のいずれか１項に記載の画像表示装置。
【請求項８】
前記画像表示手段は、該画像表示手段の傾き検知する検知手段を備え、
前記表示画像データ生成手段は、前記検知手段によって前記画像表示手段が所定の角度以上回転したことを検知されると、前記文書の表示サイズの拡大動作、及び再配列動作を実行することを特徴とする請求項１乃至７のいずれか１項に記載の画像表示装置。
【請求項９】
文書データ及び文書画像データ、またはそのいずれかを入力する入力工程と、
前記文書データまたは前記文書画像データに基づき、少なくとも文書の形状、配列、表記方向を判別する判別工程と、
前記判別工程での判別結果に基づき、前記文書の表示サイズを拡大した後、再配列して表示画像データを生成する表示画像データ生成工程と、
前記表示画像データに基づき画像を表示する画像表示工程と、を有し、
前記判別工程で、前記文書の配列が複数段の段組状態であると判別された場合、
前記表示画像データ生成工程は、前記文書の表示方向を９０°回転するとともに前記文書の表示サイズを拡大した後、再配列して表示画像データを生成することを特徴とする画像表示方法。
【請求項１０】
請求項９に記載の画像表示方法をコンピュータに実行させることを特徴とする画像表示プログラム。
【発明の詳細な説明】
【技術分野】
【０００１】
本発明は、画像表示装置、画像表示方法、及び画像表示プログラムに関し、特に段組状態で配置された電子文書を表示する画像表示装置、画像表示方法、及び画像表示プログラムに関する。
【背景技術】
【０００２】
近年、電子文書、特に印刷イメージでページ概念を有する文書、例えば、ＰＤＦ（Ｐｏｒｔａｂｌｅ  Ｄｏｃｕｍｅｎｔ  Ｆｏｒｍａｔ；Ａｄｏｂｅ社の登録商標）ファイル等を紙に印刷することなく、表示装置に表示して閲覧したいという要望が高まっている。
【０００３】
表示装置としては、パーソナルコンピュータに接続された表示モニタの他に、無線通信を介してサーバーとネットワーク接続され、サーバーから取得した電子文書の表示内容を無電源で保持する機能（メモリ性）を有した表示媒体、例えば、カイラルネマティック液晶等を用いた所謂電子ペーパー等が提案されている。
【０００４】
一方、電子文書を表示装置の画面上で閲覧する際に、文字が小さく読み難い場合、画面表示を拡大したいという要望がある。しかしながら、前述のような印刷イメージでページ概念を有する文書を拡大表示して閲覧するする場合、画面を頻繁に移動させるといった煩わしい操作が必要となり、閲覧する際の作業性に大きく影響を及ぼすといった問題がある。特に、複数段の段組状態で配置された文書の場合は、その画面の移動が更に複雑になり、移動回数や移動距離が増加する。
【０００５】
そこで、このような問題に対応するため、複数段の段組状態で配置された文字情報を含む文書画像に、各段に相当する複数の段領域を設定し、設定された複数の段領域を、画面に納まる表示倍率で個別に表示することにより、閲覧時の画面移動操作回数を削減し、閲覧作業を効率的、かつ楽に行えるようにした表示方法が提案されている（例えば、特許文献１参照）。
【特許文献１】特開２００６−１４５６４２号公報
【発明の開示】
【発明が解決しようとする課題】
【０００６】
しかしながら、特許文献１に開示されている方法では、例えば、段組数が２段の場合、画面に合わせるように拡大すると、拡大倍率は最低でも２倍となる。このため、同じページ内で拡大画面を移動させる場合、少なくとも４回のページ送りを必要とし、閲覧作業の効率を大きく損なう。
【０００７】
特に、表示装置に、電子ペーパーを用いた場合、表示媒体は、情報の書換え時のみにしか電力を必要としないという利点を有するものの、情報の書換え時に比較的時間を要するので、ページ送りによる情報の書換え回数が増加すると使用者の待ち時間が増加するという問題がある。
【０００８】
本発明は、上記課題を鑑みてなされたもので、電子文書の閲覧作業を効率的に、且つ楽に行うことが可能な画像表示装置、画像表示方法、及び画像表示プログラムを提供することを目的とする。
【課題を解決するための手段】
【０００９】
上記目的は、下記の１乃至１０のいずれか１項に記載の発明によって達成される。
【００１０】
１．文書データ及び文書画像データ、またはそのいずれかを入力する入力手段と、
前記文書データまたは前記文書画像データに基づき、少なくとも文書の形状、配列、表記方向を判別する判別手段と、
前記判別手段の判別結果に基づき、前記文書の表示サイズを拡大した後、再配列して表示画像データを生成する表示画像データ生成手段と、
前記表示画像データに基づき、画像を表示する画像表示手段と、を有し、
前記判別手段が、前記文書の配列が複数段の段組状態であると判別した場合、
前記表示画像データ生成手段は、前記文書の表示方向を９０°回転するとともに前記文書の表示サイズを拡大した後、再配列して表示画像データを生成することを特徴とする画像表示装置。
【００１１】
２．前記判別手段が、前記文書の形状が縦長及び表記方向が横書き、並びに配列が複数段の段組状態であると判別した場合、
前記表示画像データ生成手段は、９０°回転した表示画面を縦に段組数、または段組数以下の数の領域に分割し、
分割したそれぞれの領域の横幅に段組されたそれぞれの文書の横幅を合わせるように該文書の表示サイズを拡大するとともに、
分割された左端の領域を起点として隣接する領域へと順に文章が連続するように再配列して表示画像データを生成することを特徴とする前記１に記載の画像表示装置。
【００１２】
３．前記判別手段が、前記文書の形状が縦長及び表記方向が縦書き、並びに配列が複数段の段組状態であると判別した場合、
前記表示画像データ生成手段は、９０°回転した表示画面を横に下記式を満たす数Ｎ、または数Ｎ以下の領域に分割し、
分割したそれぞれの領域の縦幅に段組されたそれぞれの文書の縦幅を合わせるように該文書の表示サイズを拡大するとともに、
分割された上端の領域を起点として隣接する領域へと順に文章が連続するように再配列して表示画像データを生成することを特徴とする前記１に記載の画像表示装置。
【００１３】
式：Ｎ＝Ｎ0／２
ここで、Ｎ0は段組数、また、Ｎは小数点以下切り捨て、とする。
【００１４】
４．前記判別手段が、前記文書の形状が横長及び表記方向が横書き、並びに配列が複数段の段組状態であると判別した場合、
前記表示画像データ生成手段は、９０°回転した表示画面を縦に下記式を満たす数Ｎ、または数Ｎ以下の領域に分割し、
分割したそれぞれの領域の横幅に段組されたそれぞれの文書の横幅を合わせるように該文書の表示サイズを拡大するとともに、
分割された左端の領域を起点として隣接する領域へと順に文章が連続するように再配列して表示画像データを生成することを特徴とする前記１に記載の画像表示装置。
【００１５】
式：Ｎ＝Ｎ0／２
ここで、Ｎ0は段組数、また、Ｎは小数点以下切り捨て、とする。
【００１６】
５．前記判別手段が、前記文書の形状が横長及び表記方向が縦書き、並びに配列が複数段の段組状態であると判別した場合、
前記表示画像データ生成手段は、９０°回転した表示画面を横に段組数、または段組数以下の数の領域に分割し、
分割したそれぞれの領域の縦幅に段組されたそれぞれの文書の縦幅を合わせるように該文書の表示サイズを拡大するとともに、
分割された上端の領域を起点として隣接する領域へと順に文章が連続するように再配列して表示画像データを生成することを特徴とする前記１に記載の画像表示装置。
【００１７】
６．前記表示画像データ生成手段によって再配列された前記表示画像データは、縦方向に連続する複数の頁から構成され、
前記表示画像データ生成手段は、上端の頁を起点として隣接する頁へと順に文章が連続するように再配列して表示画像データを生成することを特徴とする前記１または２または４のいずれか１項に記載の画像表示装置。
【００１８】
７．前記表示画像データ生成手段によって再配列された前記表示画像データは、横方向に連続する複数の頁から構成され、
前記表示画像データ生成手段は、右端の頁を起点として隣接する頁へと順に文章が連続するように再配列して表示画像データを生成することを特徴とする前記１または３または５のいずれか１項に記載の画像表示装置。
【００１９】
８．前記画像表示手段は、該画像表示手段の傾き検知する検知手段を備え、
前記表示画像データ生成手段は、前記検知手段によって前記画像表示手段が所定の角度以上回転したことを検知されると、前記文書の表示サイズの拡大動作、及び再配列動作を実行することを特徴とする前記１乃至７のいずれか１項に記載の画像表示装置。
【００２０】
９．文書データ及び文書画像データ、またはそのいずれかを入力する入力工程と、
前記文書データまたは前記文書画像データに基づき、少なくとも文書の形状、配列、表記方向を判別する判別工程と、
前記判別工程での判別結果に基づき、前記文書の表示サイズを拡大した後、再配列して表示画像データを生成する表示画像データ生成工程と、
前記表示画像データに基づき画像を表示する画像表示工程と、を有し、
前記判別工程で、前記文書の配列が複数段の段組状態であると判別された場合、
前記表示画像データ生成工程は、前記文書の表示方向を９０°回転するとともに前記文書の表示サイズを拡大した後、再配列して表示画像データを生成することを特徴とする画像表示方法。
【００２１】
１０．前記９に記載の画像表示方法をコンピュータに実行させることを特徴とする画像表示プログラム。
【発明の効果】
【００２２】
本発明によれば、判別手段が、文書の配列が複数段の段組状態であると判別した場合、表示画像データ生成手段は、文書の表示方向を９０°回転するとともに文書の表示サイズを拡大した後、再配列して表示画像データを生成するようにした。すなわち、文書の表示方向を９０°回転するとともに文書の表示サイズを拡大することにより、文字が大きく表示され読み易くなる。また、文書の段組構成を、例えば、同じ頁内においては、段組間の文書が連続するように、また、隣接する頁間では、頁間の文書が連続するように、入力された文書を再配列することができる。これにより、閲覧時の画面移動操作回数が減少し、閲覧作業を効率的、かつ楽に行うことができる。特に、表示装置に、電子ペーパーを用いた場合、頁送りによる情報の書換え回数が減少することにより、待ち時間が減少し、ストレス無く閲覧することができる。
【発明を実施するための最良の形態】
【００２３】
以下図面に基づいて、本発明に係る画像表示装置、画像表示方法の実施の形態を説明する。尚、本発明を図示の実施の形態に基づいて説明するが、本発明は該実施の形態に限られない。
【００２４】
最初に、画像表示装置の電気回路構成について図１を用いて説明する。図１は、本発明の実施形態に係る画像表示装置１の電気回路ブロック構成図である。
【００２５】
画像表示装置１は、図１に示す様に、無線通信部１０、ＣＰＵ（中央演算処理装置）２０、ＲＯＭ（Ｒｅａｄ  Ｏｎｌｙ  Ｍｅｍｏｒｙ）３０、ＲＡＭ（Ｒａｎｄｏｍ  Ａｃｃｅｓｓ  Ｍｅｍｏｒｙ）４０、表示ドライバ５０、表示部６０、加速度センサ７０、及び操作部８０等から構成される。
【００２６】
無線通信部１０は、本発明に係る画像表示装置における入力手段として機能し、図示しない外部に設けられたドキュメントサーバとネットワーク接続されており、ドキュメントサーバから文書データや文書画像データを入力する。
【００２７】
ＲＯＭ３０は、ＣＰＵ２０で実行される各制御プログラム等を格納する。
【００２８】
ＲＡＭ４０は、無線通信部１０で入力された文書データや文書画像データ、また、ＣＰＵ２０による演算処理や制御処理等のデータを一時的に格納する。
【００２９】
ＣＰＵ２０は、本発明に係る画像表示装置における判別手段、表示画像データ生成手段として機能し、ＲＡＭ４０に格納された文書データや文書画像データに基づき、文書の形状、配列、表記方向等を判別する。また、判別結果に基づき、文書の表示サイズを拡大した後、再配列して表示画像データを生成する。尚、ＣＰＵ２０で行われる動作の詳細は、後述する。
【００３０】
図２に画像表示装置１の外観を示す。図２は、画像表示装置１の外観の概略を示す正面図である。画像表示装置１の正面には、表示部６０の表示画面６０１、電源スイッチ８０２、及び十字キー８０１等が配置されている。
【００３１】
表示部６０は、本発明に係る画像表示装置における画像表示手段として機能し、ＣＰＵ２０で生成された画像表示データに基づき画像を表示するものであり、表示内容を無電源で保持する機能（メモリ性）を有した表示媒体、例えば、カイラルネマティック液晶等で構成されている。また、表示部６０の画面サイズは、通常の印刷イメージを等倍で表示できるように、例えば、Ａ４サイズで構成されている。
【００３２】
加速度センサ７０は、本発明に係る画像表示装置における検知手段として機能し、表示部６０の傾き、すなわち、使用者が画像表示装置１をどのような姿勢で保持しているかを検知する３軸加速度センサである。
【００３３】
操作部８０は、電源スイッチ８０２、十字キー８０１等の各種操作・設定スイッチ等から構成される。
【００３４】
また、画像表示装置１は、２次電池で駆動され、軽くて持ち歩き易い形態に構成されている。
【００３５】
次に、画像表示装置１で行われる表示制御動作の詳細を図３乃至図７を用いて説明する。図３は、表示制御動作の流れを示すフローチャート、図４は、縦長・横書き文書の表示方法を示す模式図、図５は、縦長・縦書き文書の表示方法を示す模式図、図６は、横長・横書き文書の表示方法を示す模式図、図７は、横長・縦書き文書の表示方法を示す模式図である。
【００３６】
最初に、ＣＰＵ２０は、無線通信部１０で入力され（入力工程）ＲＡＭ４０に一時的に格納されている文書データ、または文書画像データを読出し、読み出した文書の形状、配列、及び表記方向を判別する（ステップＳ１；判別工程）。すなわち、文書の外形が縦長か横長か、配列が複数段の段組状態であるか否か、段組状態の場合は、その段組構成を、また、文書の表記方向が横書きか縦書きか、の判別を行う。
【００３７】
文書がフォントで構成され、文字情報としてレイアウト情報が含まれる文書データの場合は、その文書フォーマットに基づいて文書のレイアウト解析・判別を行う。また、文書がＪｐｅｇ等の画素情報で構成された文書画像データの場合は、例えば、特開平５−１６６００１号公報に開示されている周知の画像解析方法に準じて、文書のレイアウト解析・判別を行う。
【００３８】
次に、ＣＰＵ２０は、加速度センサ７０の出力に基づいて、画像表示装置１が９０°回転されたことを判別すると（ステップＳ２；Ｙｅｓ）、後述の表示制御動作を開始する。
【００３９】
尚、本実施形態においては、ＣＰＵ２０が自動的に文書のレイアウト解析・判別を行うようにしたが、使用者の操作によりＣＰＵ２０に文書のレイアウト解析・判別を行わせるようにしてもよい。また、ＣＰＵ２０は、画像表示装置１の回転により表示制御動作を開始するようにしたが、使用者の操作によりＣＰＵ２０に表示制御動作を開始させるようにしてもよい。
【００４０】
ＣＰＵ２０は、ステップＳ１における文書のレイアウト解析・判別結果に応じた５つの処理フローを有する。文書が段組状態でない場合は（ステップＳ３；Ｎｏ）、後述の画像回転、拡大等の処理フローを実行せず、ＲＡＭ２０から読み出した文書データ、または文書画像データに基づいた画像を生成し、表示部６０に表示させ（ステップＳ７）、処理フローを終了する。
【００４１】
文書が段組状態である場合は（ステップＳ３；Ｙｅｓ）、文書の外形が縦長か横長か（ステップＳ４）、また、文書の表記方向が横書きか縦書きか（ステップＳ５、ステップＳ６）に応じて、ＣＰＵ２０は、図３（ｂ）乃至図３（ｅ）のいずれかの処理フローを実行する。
【００４２】
（１）
文書の外形が縦長、文書の表記方向が横書きの場合の表示制御動作について、図３（ｂ）に示すフローチャート、及び図４を用いて説明する。図４は、縦長・横書き文書の表示方法を示す模式図である。
【００４３】
図４（ａ）は、表示画面６０１に表示倍率が等倍率で表示される拡大前の文書画像を示す模式図である。文書画像は、２段の段組Ｄ１、Ｄ２で構成されている。尚、図４（ａ）中、Ａ〜Ｈは、文書の領域を説明するため便宜上表記した記号である。
【００４４】
文書画像を９０°回転させ、表示画面６０１の横幅に合わせて拡大するのみでは図４（ｄ）に示すような画像となる。この場合、領域Ａ〜Ｈまで読み進もうとすると、少なくとも下→上→下の３回の十字キー８０１による画面移動操作が必要となる。
【００４５】
そこで、本実施形態においては、最初に、ＣＰＵ２０は、図４（ｂ）に示すように、９０°回転した表示画面６０１を縦に段組数である２つの領域Ｈ１、Ｈ２に分割する（ステップＳ５１１）。
【００４６】
次に、分割したそれぞれの領域Ｈ１、Ｈ２の横幅に段組されたそれぞれの文書Ｄ１、Ｄ２の横幅を合わせるように該文書の表示サイズを拡大するとともに、分割された左端の領域Ｈ１を起点として隣接する領域Ｈ２へと順に文章が連続するように、ステップＳ１における文書のレイアウト解析・判別結果に基づいて段組領域を抽出し、再配列して表示画像データを生成する（ステップＳ５１２；表示画像データ生成工程）。
【００４７】
次に、表示部６０は、再配列された表示画像データに基づいて画像を表示する（ステップＳ５１３；画像表示工程）。
【００４８】
これにより、図４（ｂ）に示すように、Ａ、Ｂ、Ｃ、Ｄの順番で連続する文章として読み進めることができる。
【００４９】
また、ＣＰＵ２０によって再配列された表示画像データは、縦方向に連続する複数の頁から構成されるものであって、上端の頁Ｐ１を起点として隣接する頁Ｐ２へと順に文章が連続するように再配列される。
【００５０】
これにより、十字キー８０１により下側に画面移動操作を行うと、図４（ｂ）に示した頁Ｐ１のＡ、Ｂ、Ｃ、Ｄに続いて、図４（ｃ）に示す頁Ｐ２のＥ、Ｆ、Ｇ、Ｈをこの順番で連続する文章として読み進めることができる。
【００５１】
尚、段組Ｄ１、Ｄ２は、再レイアウトされるが、段組内の文章の構造は再レイアウト後も変化しないので、拡大後も読み易い。
【００５２】
尚、本実施形態においては、９０°回転した表示画面６０１を縦に段組数である２つの領域Ｈ１、Ｈ２に分割したが、段組数以下である１つの領域としてもよい。
【００５３】
（２）
文書の外形が縦長、文書の表記方向が縦書きの場合の表示制御動作について、図３（ｃ）に示すフローチャート、及び図５を用いて説明する。図５は、縦長・縦書き文書の表示方法を示す模式図である。
【００５４】
図５（ａ）は、表示画面６０１に表示倍率が等倍率で表示される拡大前の文書画像を示す模式図である。文書画像は、４段の段組Ｄ１、Ｄ２、Ｄ３、Ｄ４で構成されている。尚、図５（ａ）中、Ａ〜Ｐは、文書の領域を説明するため便宜上表記した記号である。
【００５５】
本実施形態においては、最初に、ＣＰＵ２０は、図５（ｂ）に示すように、９０°回転した表示画面６０１を横に段組数／２（小数点以下切り捨て）である２つの領域Ｈ１、Ｈ２に分割する（ステップＳ５２１）。
【００５６】
次に、分割したそれぞれの領域Ｈ１、Ｈ２の縦幅に段組されたそれぞれの文書Ｄ１、Ｄ２の縦幅を合わせるように該文書の表示サイズを拡大するとともに、分割された上端の領域Ｈ１を起点として隣接する領域Ｈ２へと順に文章が連続するように、ステップＳ１における文書のレイアウト解析・判別結果に基づいて段組領域を抽出し、再配列して表示画像データを生成する（ステップＳ５２２）。
【００５７】
次に、表示部６０は、再配列された表示画像データに基づいて画像を表示する（ステップＳ５２３）。
【００５８】
これにより、図５（ｂ）に示すように、Ａ、Ｂ、Ｃ、Ｄ、Ｅ、Ｆ、Ｇ、Ｈの順番で連続する文章として読み進めることができる。
【００５９】
また、ＣＰＵ２０によって再配列された表示画像データは、横方向に連続する複数の頁から構成されるものであって、右端の頁Ｐ１を起点として隣接する頁Ｐ２へと順に文章が連続するように再配列される。
【００６０】
これにより、十字キー８０１により左側に画面移動操作を行うと、図５（ｂ）に示した頁Ｐ１のＡ、Ｂ、Ｃ、Ｄ、Ｅ、Ｆ、Ｇ、Ｈに続いて、図５（ｃ）に示す頁Ｐ２のＩ、Ｊ、Ｋ、Ｌ、Ｍ、Ｎ、Ｏ、Ｐをこの順番で連続する文章として読み進めることができる。
【００６１】
尚、本実施形態においては、９０°回転した表示画面６０１を横に段組数／２（小数点以下切り捨て）である２つの領域Ｈ１、Ｈ２に分割したが、段組数／２以下である１つの領域としてもよい。
【００６２】
（３）
文書の外形が横長、文書の表記方向が横書きの場合の表示制御動作について、図３（ｄ）に示すフローチャート、及び図６を用いて説明する。図６は、横長・横書き文書の表示方法を示す模式図である。
【００６３】
図６（ａ）は、表示画面６０１に表示倍率が等倍率で表示される拡大前の文書画像を示す模式図である。文書画像は、３段の段組Ｄ１、Ｄ２、Ｄ３で構成されている。尚、図６（ａ）中、Ａ〜Ｉは、文書の領域を説明するため便宜上表記した記号である。
【００６４】
本実施形態においては、最初に、ＣＰＵ２０は、図６（ｂ）に示すように、９０°回転した表示画面６０１を縦に段組数／２（小数点以下切り捨て）である１つの領域Ｈ１とする（ステップＳ６１１）。
【００６５】
次に、領域Ｈ１の横幅に段組されたそれぞれの文書Ｄ１の横幅を合わせるように該文書の表示サイズを拡大するとともに、ステップＳ１における文書のレイアウト解析・判別結果に基づいて段組領域を抽出し、再配列して表示画像データを生成する（ステップＳ６１２）。
【００６６】
次に、表示部６０は、再配列された表示画像データに基づいて画像を表示する（ステップＳ６１３）。
【００６７】
また、ＣＰＵ２０によって再配列された表示画像データは、縦方向に連続する複数の頁から構成されるものであって、上端の頁Ｐ１を起点として隣接する頁Ｐ２へと順に文章が連続するように再配列される。
【００６８】
これにより、十字キー８０１により下側に画面移動操作を行うと、図６（ｂ）に示した頁Ｐ１のＡ、Ｂに続いて、図６（ｃ）に示す頁Ｐ２のＣ、Ｄをこの順番で連続する文章として読み進めることができる。
【００６９】
（４）
文書の外形が横長、文書の表記方向が縦書きの場合の表示制御動作について、図３（ｅ）に示すフローチャート、及び図７を用いて説明する。図７は、横長・縦書き文書の表示方法を示す模式図である。
【００７０】
図７（ａ）は、表示画面６０１に表示倍率が等倍率で表示される拡大前の文書画像を示す模式図である。文書画像は、２段の段組Ｄ１、Ｄ２で構成されている。尚、図７（ａ）中、Ａ〜Ｈは、文書の領域を説明するため便宜上表記した記号である。
【００７１】
文書画像を９０°回転させ、表示画面６０１の縦幅に合わせて拡大するのみでは図７（ｄ）に示すような画像となる。この場合、領域Ａ〜Ｈまで読み進もうとすると、少なくとも左→右→左の３回の十字キー８０１による画面移動操作が必要となる。
【００７２】
そこで、本実施形態においては、最初に、ＣＰＵ２０は、図７（ｂ）に示すように、９０°回転した表示画面６０１を横に段組数である２つの領域Ｈ１、Ｈ２に分割する（ステップＳ６２１）。
【００７３】
次に、分割したそれぞれの領域Ｈ１、Ｈ２の縦幅に段組されたそれぞれの文書Ｄ１、Ｄ２の縦幅を合わせるように該文書の表示サイズを拡大するとともに、分割された上端の領域Ｈ１を起点として隣接する領域Ｈ２へと順に文章が連続するように、ステップＳ１における文書のレイアウト解析・判別結果に基づいて段組領域を抽出し、再配列して表示画像データを生成する（ステップＳ６２２）。
【００７４】
次に、表示部６０は、再配列された表示画像データに基づいて画像を表示する（ステップＳ６２３）。
【００７５】
これにより、図７（ｂ）に示すように、Ａ、Ｂ、Ｃ、Ｄの順番で連続する文章として読み進めることができる。
【００７６】
また、ＣＰＵ２０によって再配列された表示画像データは、横方向に連続する複数の頁から構成されるものであって、右端の頁Ｐ１を起点として隣接する頁Ｐ２へと順に文章が連続するように再配列される。
【００７７】
これにより、十字キー８０１により左側に画面移動操作を行うと、図７（ｂ）に示した頁Ｐ１のＡ、Ｂ、Ｃ、Ｄに続いて、図７（ｃ）に示す頁Ｐ２のＥ、Ｆ、Ｇ、Ｈをこの順番で連続する文章として読み進めることができる。
【００７８】
尚、本実施形態においては、９０°回転した表示画面６０１を横に段組数である２つの領域Ｈ１、Ｈ２に分割したが、段組数以下である１つの領域としてもよい。
【００７９】
このように、本発明の実施形態に係る画像表示装置１においては、段組された文書を、文書の形状、表記方向等に基づいて、文書が頁内、及び頁間で連続する様に再配列し、９０°回転させた表示画面に拡大して表示する様にした。これにより、文書の表示サイズが少なくとも１．４倍に拡大され、文字が大きく表示され読み易くなる。また、１回の画面移動操作で１頁分の文書を閲覧することができ、閲覧作業を効率的、かつ楽に行うことができる。特に、表示装置に、画面書き換え速度が比較的遅い電子ペーパーを用いた場合でも、頁送りによる情報の書換え回数が減少することにより、待ち時間が減少し、ストレス無く閲覧することができる。
【図面の簡単な説明】
【００８０】
【図１】本発明の実施形態に係る画像表示装置の電気回路ブロック構成図である。
【図２】本発明の実施形態に係る画像表示装置の外観図である。
【図３】表示制御動作の流れを示すフローチャートである。
【図４】縦長・横書き文書の表示方法を示す模式図である。
【図５】縦長・縦書き文書の表示方法を示す模式図である。
【図６】横長・横書き文書の表示方法を示す模式図である。
【図７】横長・縦書き文書の表示方法を示す模式図である。
【符号の説明】
【００８１】
１  画像表示装置
１０  無線通信部
２０  ＣＰＵ
３０  ＲＯＭ
４０  ＲＡＭ
５０  表示ドライバ
６０  表示部
６０１  表示画面
７０  加速度センサ
８０  操作部
８０１  十字キー
８０２  電源スイッチ
Ｄ１、Ｄ２、Ｄ３、Ｄ４  段領域
Ｈ１、Ｈ２  第１表示領域、第２表示領域
【図１】
2009053218.tif 000003
【図２】
2009053218.tif 000004
【図３】
2009053218.tif 000005
【図４】
2009053218.tif 000006
【図５】
2009053218.tif 000007
【図６】
2009053218.tif 000008
【図７】
2009053218.tif 000009